(57)【要約】【課題】開閉蓋を好適に開放できる家庭用薄葉紙収納容器を実現する。【解決手段】この家庭用薄葉紙収納容器１００であれば、使用者が係止手段１１４を操作して開閉蓋２の係止が外れると、付勢手段３によって開閉蓋２が自動的に跳ね上げられるので、家庭用薄葉紙使用時の開閉蓋の開放が容易となる。特に、この付勢手段３は、熱可塑性エラストマーや熱可塑性樹脂材料ではなく、シリコンゴム樹脂など熱硬化性樹脂材料によって形成されたものであるため経年劣化し難く、開閉蓋２を開放方向に付勢するバネとしての機能を維持できるので、この家庭用薄葉紙収納容器１００を長期間に亘って使い続けることができる。【選択図】図１
2020083433.tif 000002
【特許請求の範囲】
【請求項１】
内部に家庭用薄葉紙が収納され、その家庭用薄葉紙を取り出す取出孔を有する容器本体と、
前記容器本体に回動自在に取り付けられ、前記取出孔を閉塞する開閉蓋と、
前記開閉蓋を開放方向に付勢する付勢手段と、
を備えた家庭用薄葉紙収納容器であって、
前記容器本体は、前記開閉蓋を閉塞状態で係止するとともに、これを解除して前記開閉蓋を開放させることができる係止手段と、前記付勢手段を当該容器本体に固定している固定部と、を備えており、
前記付勢手段は、熱硬化性樹脂材料によって形成されている部材であり、
前記固定部が前記容器本体の一部に形成された状態で、その固定部に前記付勢手段が固定されているように構成されていることを特徴とする家庭用薄葉紙収納容器。
【請求項２】
内部に家庭用薄葉紙が収納され、その家庭用薄葉紙を取り出す取出孔を有する容器本体と、
前記容器本体に回動自在に取り付けられ、前記取出孔を閉塞する開閉蓋と、
前記開閉蓋を開放方向に付勢する付勢手段と、
を備えた家庭用薄葉紙収納容器であって、
前記容器本体は、前記開閉蓋を閉塞状態で係止するとともに、これを解除して前記開閉蓋を開放させることができる係止手段を備えており、
前記開閉蓋は、前記付勢手段を当該開閉蓋に固定している固定部を備えており、
前記付勢手段は、熱硬化性樹脂材料によって形成されている部材であり、
前記固定部が前記開閉蓋の一部に形成された状態で、その固定部に前記付勢手段が固定されているように構成されていることを特徴とする家庭用薄葉紙収納容器。
【請求項３】
前記固定部は、前記付勢手段に設けられている小孔または切欠に差し込まれた状態に形成されていることを特徴とする請求項１又は２に記載の家庭用薄葉紙収納容器。
【請求項４】
前記固定部は、前記付勢手段の端部を覆って保持した状態に形成されていることを特徴とする請求項１又は２に記載の家庭用薄葉紙収納容器。
【請求項５】
前記固定部の一部が、前記付勢手段の周面に沿わして配されていることを特徴とする請求項１〜４のいずれか一項に記載の家庭用薄葉紙収納容器。
【発明の詳細な説明】
【技術分野】
【０００１】
本発明は、家庭用薄葉紙収納容器に関する。
【背景技術】
【０００２】
従来、ウェットティッシュ等の家庭用薄葉紙の収納容器としては、開閉蓋を板バネ等の付勢部材によって開放方向に付勢しつつ、これを所定の係止部材によって閉塞状態で係止可能とすることで、使用者が係止部材に設けられたボタンを押圧した際に、ワンタッチで開閉蓋が開くようにしたものが知られている（例えば、特許文献１参照。）。
家庭用薄葉紙の収納容器は詰め替え式であり、家庭用薄葉紙を使い切った際には新たな家庭用薄葉紙を収納して、その収納容器を長期間使い続けるようになっている。
【先行技術文献】
【特許文献】
【０００３】
【特許文献１】特許第５２８０７４３号公報
【発明の概要】
【発明が解決しようとする課題】
【０００４】
しかしながら、上記特許文献１の収納容器の板バネ（付勢手段）が熱可塑性樹脂で形成されている場合、長期間使い続けるうちに経年劣化し、バネとしての機能が低下して蓋が開き難くなってしまうことがあった。
【０００５】
本発明の目的は、開閉蓋を好適に開放できる家庭用薄葉紙収納容器を提供することである。
【課題を解決するための手段】
【０００６】
以上の課題を解決するため、請求項１に記載の発明は、
内部に家庭用薄葉紙が収納され、その家庭用薄葉紙を取り出す取出孔を有する容器本体と、
前記容器本体に回動自在に取り付けられ、前記取出孔を閉塞する開閉蓋と、
前記開閉蓋を開放方向に付勢する付勢手段と、
を備えた家庭用薄葉紙収納容器であって、
前記容器本体は、前記開閉蓋を閉塞状態で係止するとともに、これを解除して前記開閉蓋を開放させることができる係止手段と、前記付勢手段を当該容器本体に固定している固定部と、を備えており、
前記付勢手段は、熱硬化性樹脂材料によって形成されている部材であり、
前記固定部が前記容器本体の一部に形成された状態で、その固定部に前記付勢手段が固定されているように構成されていることを特徴とする。
熱硬化性樹脂材料によって形成された付勢手段であれば経年劣化し難く、開閉蓋を開放方向に付勢するバネとしての機能を維持できるので、開閉蓋を好適に開放できる家庭用薄葉紙収納容器として長期間に亘って使い続けることができる。
【０００７】
請求項２に記載の発明は、
内部に家庭用薄葉紙が収納され、その家庭用薄葉紙を取り出す取出孔を有する容器本体と、
前記容器本体に回動自在に取り付けられ、前記取出孔を閉塞する開閉蓋と、
前記開閉蓋を開放方向に付勢する付勢手段と、
を備えた家庭用薄葉紙収納容器であって、
前記容器本体は、前記開閉蓋を閉塞状態で係止するとともに、これを解除して前記開閉蓋を開放させることができる係止手段を備えており、
前記開閉蓋は、前記付勢手段を当該開閉蓋に固定している固定部を備えており、
前記付勢手段は、熱硬化性樹脂材料によって形成されている部材であり、
前記固定部が前記開閉蓋の一部に形成された状態で、その固定部に前記付勢手段が固定されているように構成されていることを特徴とする。
熱硬化性樹脂材料によって形成された付勢手段であれば経年劣化し難く、開閉蓋を開放方向に付勢するバネとしての機能を維持できるので、開閉蓋を好適に開放できる家庭用薄葉紙収納容器として長期間に亘って使い続けることができる。
【０００８】
請求項３に記載の発明は、請求項１又は２に記載の家庭用薄葉紙収納容器において、
前記固定部は、前記付勢手段に設けられている小孔または切欠に差し込まれた状態に形成されていることを特徴とする。
【０００９】
請求項４に記載の発明は、請求項１又は２に記載の家庭用薄葉紙収納容器において、
前記固定部は、前記付勢手段の端部を覆って保持した状態に形成されていることを特徴とする。
【００１０】
請求項５に記載の発明は、請求項１〜４のいずれか一項に記載の家庭用薄葉紙収納容器において、
前記固定部の一部が、前記付勢手段の周面に沿わして配されていることを特徴とする。
【発明の効果】
【００１１】
本発明によれば、開閉蓋を好適に開放できる家庭用薄葉紙収納容器が得られる。
【図面の簡単な説明】
【００１２】
【図１】本実施形態の家庭用薄葉紙収納容器を示す斜視図である。
【図２】本実施形態の家庭用薄葉紙収納容器を示す断面図であり、図１のＹ方向中央部における断面図である。
【図３】開閉蓋を閉塞した状態における家庭用薄葉紙収納容器の断面図である。
【図４】容器本体上部と容器本体下部との篏合を外した状態における家庭用薄葉紙収納容器の断面図である。
【図５】家庭用薄葉紙収納容器の固定部と付勢手段を拡大して示す説明図（ａ）（ｂ）である。
【図６】家庭用薄葉紙収納容器の固定部の変形例に関する説明図（ａ）（ｂ）である。
【図７】家庭用薄葉紙収納容器の固定部の変形例を示す断面図である。
【図８】家庭用薄葉紙収納容器の固定部の変形例を示す断面図である。
【発明を実施するための形態】
【００１３】
以下、図面を参照して、本発明に係る家庭用薄葉紙収納容器の実施形態について詳細に説明する。但し、以下に述べる実施形態には、本発明を実施するために技術的に好ましい種々の限定が付されているが、本発明の範囲を以下の実施形態及び図示例に限定するものではない。
なお、以下においては、図１に示すように、Ｘ軸、Ｙ軸及びＺ軸並びに前後方向、左右方向及び上下方向を定めて説明する。すなわち、家庭用薄葉紙収納容器１００の開閉蓋２が備えられた側を「上」、その反対側を「下」、容器本体１と開閉蓋２とが接続されている側を「後」、その反対側を「前」、容器の前面を正面視した状態における右手側を「右」、容器の前面を正面視した状態における左手側を「左」とし、前後方向に沿った軸をＸ軸、左右方向に沿った軸をＹ軸、上下方向の沿った軸をＺ軸とする。
【００１４】
［実施形態の構成］
｛全体構成｝
家庭用薄葉紙収納容器１００は、例えば、図１〜図４に示すように、内部の家庭用薄葉紙を取り出す取出孔１１２ａを有する容器本体１と、取出孔１１２ａを覆うように開閉自在に容器本体１に接続された開閉蓋２と、開閉蓋２を開放方向に付勢する付勢手段３とを備え、容器本体１の内部に家庭用薄葉紙Ｐが収納される収納空間Ｓが形成されている。
容器本体１と、開閉蓋２とは、射出成形（２色成形）によって一体的に形成することができる。
【００１５】
｛家庭用薄葉紙｝
家庭用薄葉紙Ｐとしては、例えば、小型のウェットシート、ウェットティッシュ等が交互に折り重ねられた状態で積層され、１枚のウェットシート、ウェットティッシュ等を引き出した際に次のウェットシート、ウェットティッシュ等も引き出されるように形成された、所謂ポップアップ式のシートが用いられる。その他には、例えば、長さ方向に一定の間隔でミシン目が施された長大なウェットシート、ウェットティッシュ等がロール状に巻かれ、ミシン目に沿って切り離して使用するロールシートを用いることもできる。
【００１６】
｛容器本体｝
容器本体１は、図１に示すように、全体として、Ｘ方向及びＺ方向に比してＹ方向に長い略直方体状に形成され、これがＺ方向略中央部付近において上下に二分され、容器本体１の上側を構成する容器本体上部１１と、容器本体１の下側を構成する容器本体下部１２と、が形成されている。容器本体上部１１と、容器本体下部１２とは容器本体１の後側において接続されている。
容器本体上部１１と、容器本体下部１２とは、射出成形（２色成形）によって一体的に形成することができる。
【００１７】
容器本体１は、全体が、Ｘ方向に好ましくは６０ｍｍから１５０ｍｍ、さらに好ましくは８０ｍｍから１００ｍｍ、Ｙ方向に好ましくは８０ｍｍから２００ｍｍ、さらに好ましくは１４５ｍｍから１６５ｍｍ、Ｚ方向に好ましくは３０ｍｍから１００ｍｍ、さらに好ましくは５０ｍｍから７０ｍｍの大きさとなるように形成されている。また、各面の厚みは、好ましくは０．５ｍｍから３ｍｍ、さらに好ましくは１ｍｍから２ｍｍである。
この大きさ及び厚みであれば、成形効率が高く、かつ実使用に問題ない強度を達成することができる。
【００１８】
容器本体１は、図４に示すように、容器本体上部１１と容器本体下部１２とが接続された後側を支点とし、容器本体上部１１を上方へと回動させることによって、内部の収納空間Ｓを外部に開放することができる。
容器本体１後側の、容器本体上部１１と容器本体下部１２との接続部分が、図２〜図４に示すように、容器本体１の他の部分と比較して薄くなるように形成されていることによって、当該接続部分において容器本体の後面を容易に曲げることができ、容器本体上部１１を、当該接続部分を支点として、容器本体下部１２に対して回動させ易くなる。
【００１９】
なお、生産性は低下するものの、容器本体上部１１と、容器本体下部１２とを別体として形成の上、これらをヒンジ等によって回動自在に接続することも可能である。
また、容器本体１が容器本体上部１１と容器本体下部１２とに二分される位置は、図においては、Ｚ方向中央部付近とした場合につき図示したが、Ｚ方向中央部よりも上部であれば、さらに好ましい。この場合、収納された家庭用薄葉紙Ｐが所定の包装体によって覆われた状態で、容器本体１内に収納される場合において、容器の閉塞時に包装体のエンドシール部等を挟み込んでしまうおそれを低減することができ、家庭用薄葉紙Ｐをさらに詰め替え易くなる。
【００２０】
（容器本体上部）
容器本体上部１１は、図１〜図４に示すように、下面が開口部となった略直方体状に形成され、上部に下方に凹状となる凹部１１１が形成されている。
その凹部１１１の中央側の取出し部１１２には、収納空間Ｓの家庭用薄葉紙Ｐを取り出す取出孔１１２ａが設けられ、取出孔１１２ａを囲むようにして、本体側密閉環部１１３が形成されている。換言すれば、凹部１１１内における本体側密閉環部１１３に囲まれた部分が取出し部１１２として形成されており、取出し部１１２の中央部に取出孔１１２ａが設けられている。
また、凹部１１１内における本体側密閉環部１１３よりも外側の部分であって、本体側密閉環部１１３と開閉蓋２の間には固定部１１５が設けられており、その固定部１１５に後述の付勢手段３が配設されている。その付勢手段３の一端部は凹部１１１に埋め込まれた態様に配設されている。
また、上面の前側には、開閉蓋２を開閉するための係止手段１１４が形成されている。
また、下面の開口部の周囲には、後述の容器本体下部１２の下部嵌合部１２１と嵌合する上部嵌合部１１６が形成されている。
【００２１】
（取出孔）
取出孔１１２は、容器本体上部の上面略中央に形成された、収納空間Ｓにつながる孔部である。
図１においては、十字型に２本の切り込みを入れることにより形成されている場合につき図示したが、これに限られず、切り込みの本数はこれより多数でもよく、また、例えば、直角三角形の重心点と各頂点とを結ぶように、３本の切り込みを形成するようにしてもよい。
この取出孔１１２ａは、後述するようにその周囲が弾性を有する材料によって形成されており、家庭用薄葉紙Ｐに対して適切な抵抗を掛けることで、収納空間Ｓに収納された家庭用薄葉紙Ｐが引き出された後に、次の家庭用薄葉紙Ｐを保持する機能を果たす。また、家庭用薄葉紙Ｐがロールシートである場合において、家庭用薄葉紙Ｐに設けられている切断用のミシン目で、これを切断することを可能とする。
【００２２】
（本体側密閉環部）
本体側密閉環部１１３は、図１に示すように、取出孔１１２ａを囲むように環状に上方へと突出する凸部であり、図３及び図４に示すように、その外周側の面が後述の開閉蓋２に形成された開閉蓋側密閉環部２２の内周側の面と嵌合するように形成されている。
【００２３】
（係止手段）
係止手段１１４は、図１に示すように、本体側爪部１１４１を備えるボタン状に形成され、本体側爪部１１４１が後述の開閉蓋２に形成される開閉蓋側爪部２１と係合することによって、これを閉塞状態で係止するとともに、使用者が係止手段１１４を押圧した際には、本体側爪部１１４１と開閉蓋側爪部２１との係合が外れ、開閉蓋２が開放状態となるように形成されている。
【００２４】
（固定部）
固定部１１５は、図１、図５（ａ）に示すように、凹部１１１の上面と略面一に形成された部分であり、後述の付勢手段３を保持するように形成されている。
【００２５】
（上部嵌合部）
上部嵌合部１１６は、図１〜図４に示すように、容器本体上部１１下部の開口部の周囲に、容器本体上部１１と容器本体下部１２とが接続された後側を除いて形成され、図２〜図４に示すように、下端部が外周側のみ突出し、上部突出部１１６１が形成されており、上部突出部１１６１の内周側の面が、後述の容器本体下部１２に形成される下部嵌合部１２１の下部突出部１２１１の外周側の面と嵌合するように形成されている。
上部嵌合部１１６は、上部突出部１１６１が、上下方向に好ましくは０．５ｍｍから５ｍｍ、さらに好ましくは１ｍｍから３ｍｍの長さを有するように形成される。
【００２６】
（容器本体上部の材質）
容器本体上部１１のうち、上面の取出し部１１２と本体側密閉環部１１３と固定部１１５とが、例えば、スチレン−ブタジエン系、ポリエステル系、ポリエチレン系、ウレタン系等の熱可塑性エラストマー等の弾性を有する材料（以下、「弾性材料」という。）によって形成されている。弾性材料の性質としては、硬度が２０から９０であることが望ましい。なお、上記硬度は、JIS K 6253（タイプＡデュロメータ）によって測定されたものである。
また、容器本体上部１１のうち、上部嵌合部１１６も、同様の弾性材料によって形成されている。
容器本体上部１１のその他の部分は、例えば、ポリエチレン、ポリプロピレン等のポリオレフィン系樹脂材料によって形成されている。
これらは、射出成形（２色成形）によって一体的に形成されている。
なお、弾性材料の硬度が上記よりも低くなると、柔らか過ぎて成形が難しく、成形効率が悪くなる。また、硬度が上記よりも高くなると、取出孔１１２ａ周辺が硬くなり、抵抗が掛かり過ぎて、シートが一枚ずつ取り出しにくくなり、かつ、シートを引っ張り出す際に容器内部まで指を入れ難くなる。
したがって、弾性材料の硬度は、上記範囲とすることが望ましい。
【００２７】
（容器本体下部）
容器本体下部１２は、図１〜図４に示すように、上面が開口部となった略直方体状に形成され、上面の開口部の周囲には、容器本体上部１１の上部嵌合部１１６と嵌合する下部嵌合部１２１が形成されている。また、下面には、下部滑り止め部１２２が形成されている。
【００２８】
（下部嵌合部）
下部嵌合部１２１は、図１〜図４に示すように、容器本体下部１２上部の開口部の周囲に、容器本体下部１２と容器本体上部１１とが接続された後側を除いて形成され、図２〜図４に示すように、上端部が内周側のみ突出し、下部突出部１２１１が形成されており、下部突出部１２１１の外周側の面が、容器本体上部１１に形成される上部嵌合部１１６の上部突出部１１６１の内周側の面と嵌合するように形成されている。
下部嵌合部１２１は、下部突出部１２１１が、上下方向に好ましくは０．５ｍｍから５ｍｍ、さらに好ましくは１ｍｍから３ｍｍの長さを有するように形成される。
【００２９】
なお、上部嵌合部１１６の上部突出部１１６１が、内周側のみ突出するように形成され、下部嵌合部１２１の下部突出部１２１１が、外周側のみ突出するように形成され、上部突出部１１６１の外周側の面と、下部突出部１２１１の内周側の面とが嵌合するようにしてもよい。
また、上部突出部が、内周側と外周側の間の中央部が突出するように形成され、下部突出部が、内周側と外周側の両側において突出し、間に凹部が生じるように形成され、上部突出部と、下部突出部の間の凹部とが嵌合するようにしてもよい。反対に、上部突出部が、内周側と外周側の両側において突出し、間に凹部が生じるように形成され、下部突出部が、内周側と外周側の間の中央部が突出するように形成され、下部突出部と、上部突出部の間の凹部とが嵌合するようにしてもよい。
【００３０】
（下部滑り止め部）
下部滑り止め部１２２は、家庭用薄葉紙収納容器１００を載置した際にこれを滑りにくくするための部分であり、容器本体下部１２の下面に、弾性材料によって形成された部分を、他の部分と一体的に設けることにより形成されている。
【００３１】
（容器本体下部の材質）
容器本体下部１２は、下部嵌合部１２１及び下部滑り止め部１２２が、容器本体上部１１において用いられるのと同様の弾性材料によって形成され、その他の部分は、例えば、ポリエチレン、ポリプロピレン等のポリオレフィン系樹脂材料によって形成されている。
これらは、射出成形（２色成形）によって一体的に形成されている。
【００３２】
｛開閉蓋｝
開閉蓋２は、図１〜図４に示すように、容器本体上部１１の凹部１１１後方に回動自在に接続された扁平な略矩形状の部材であり、前側に開閉蓋側爪部２１を備え、下面側に開閉蓋側密閉環部２２を備える。
開閉蓋２は、図１〜図４に示すように、閉塞時の平面視における形状が容器本体上部１１の凹部１１１の平面視における形状と略同一となるように形成されており、閉塞時において、凹部１１１に嵌め込むことができるように形成されている。
なお、開閉蓋２と容器本体上部１１との接続部分が、図２に示すように、他の部分と比較して薄くなるように形成されていることによって、当該接続部分を容易に曲げることができ、開閉蓋２を、当該接続部分を支点として回動させ易くなる。
【００３３】
（開閉蓋側爪部）
開閉蓋側爪部２１は、図１〜図４に示すように、開閉蓋２の前方に突出する爪部であり、容器本体上部１１の係止手段１１４に形成される本体側爪部１１４１と係合することによって、開閉蓋を閉塞状態で係止するとともに、使用者が係止手段１１４を押圧した際には、本体側爪部１１４１と開閉蓋側爪部２１との係合が外れ、後述の付勢手段３によって、開閉蓋２が開放状態となるように形成されている。
【００３４】
（開閉蓋側密閉環部）
開閉蓋側密閉環部２２は、図１に示すように、開閉蓋２の閉塞時における下面側中央部に形成された、下方へと環状に突出する凸部であり、図３及び図４に示すように、その内周側の面が、容器本体上部１１に形成された本体側密閉環部１１３の外周側の面と嵌合するように形成されている。
【００３５】
（開閉蓋の材質）
開閉蓋２は、例えば、ポリエチレン、ポリプロピレン等のポリオレフィン系樹脂材料によって形成されている。
この開閉蓋２と、容器本体１とは、射出成形（２色成形）によって一体的に形成されている。
【００３６】
｛付勢手段｝
付勢手段３は、開閉蓋２を開放方向へと付勢し、使用者が係止手段１１４を押圧し、本体側爪部１１４１と、開閉蓋側爪部２１との係合が外れた際に、開閉蓋２を後方の容器本体上部１１との接続部分を回転軸として回転するようにして開放させるための部材である。
【００３７】
付勢手段３は、弾力性を有するシリコン樹脂（シリコンゴム）など熱硬化性樹脂材料によって形成された板バネ状の部材である。
図５（ａ）に示すように、付勢手段３の一端部には小孔３ａが設けられており、その小孔３ａに固定部１１５が差し込まれた状態に形成されている。
具体的には、開閉蓋２と容器本体１とを射出成形（２色成形）によって一体的に形成する際に、予め熱硬化性樹脂材料によって形成されている付勢手段３の小孔３ａに、固定部１１５となる弾性材料を打ち込むように射出し、成形された固定部１１５に付勢手段３が固定されて、凹部１１１部分に埋め込まれた態様に形成される。
つまり、固定部１１５部分が射出成形によって形成された状態で、その固定部１１５に付勢手段３が固定されるようになっている。換言すれば、この家庭用薄葉紙収納容器１００の製造工程には、弾性材料によって固定部１１５を射出成形する際に、予め熱硬化性樹脂材料によって形成されている付勢手段３を固定部１１５に固定する工程が含まれている。
なお、射出成形によって形成された容器本体１の一部に固定部１１５が形成された状態で、その固定部１１５に固定された付勢手段３は、容器本体１（固定部１１５）から取り外せない状態に固定されている。
このように、容器本体１と開閉蓋２と付勢手段３とを疑似３色成形にて形成するようにして家庭用薄葉紙収納容器１００を生産することができる。
射出成形した固定部１１５に付勢手段３が固定されるようにすれば、生産性よく家庭用薄葉紙収納容器１００を製造できる。
なお、図５（ｂ）に示すように、その一端部に切欠３ｂが設けられている付勢手段３であっても同様に、射出成形した固定部１１５に付勢手段３が固定された態様に形成できる。
【００３８】
付勢手段３は、幅が好ましくは５ｍｍ〜３０ｍｍ、さらに好ましくは８ｍｍ〜１５ｍｍ、厚みが好ましくは０．５ｍｍ〜３ｍｍ、さらに好ましくは１ｍｍ〜２ｍｍの帯状となるように形成されている。
付勢手段３がこのような大きさに形成されていることによって、開閉蓋２を無理なく押し上げることが可能であり、かつ、開閉蓋２の閉塞時において、凹部１１１内において付勢手段３を容易に折り曲げることができる。
【００３９】
付勢手段３は、図３に示すように、開閉蓋２の閉塞時において、これが開閉蓋２の付け根近傍において折り曲げられることとなる。そして、使用者が係止手段１１４を押圧し、本体側爪部１１４１と、開閉蓋側爪部２１との係合が外れた際には、折り曲げられていた付勢手段３が復元しようとする反発力によって、開閉蓋２が開放され、図２に示す状態となる。
また、使用者が開閉蓋２を閉塞する際には、開閉蓋を上方から押せば、付勢手段３が折り曲げられ、図３に示す状態となる。
【００４０】
［実施形態の効果］
本実施形態の家庭用薄葉紙収納容器１００によれば、使用者が係止手段１１４を操作し、開閉蓋２の係止が外れると、付勢手段３によって、開閉蓋２が自動的に跳ね上げられることから、家庭用薄葉紙使用時の開閉蓋の開放が容易となる。
特に、この付勢手段３は、熱可塑性エラストマーや熱可塑性樹脂材料ではなく、シリコンゴム樹脂など熱硬化性樹脂材料によって形成されたものであるため経年劣化し難く、開閉蓋２を開放方向に付勢するバネとしての機能を維持できるので、この家庭用薄葉紙収納容器１００を長期間に亘って使い続けることができる。
そして、この家庭用薄葉紙収納容器１００は、容器本体１と開閉蓋２とを射出成形（２色成形）によって一体的に形成する際に付勢手段３を固定部１１５に固定するように生産することができ、容器本体１と開閉蓋２と付勢手段３とを疑似３色成形にて形成するようにして生産することができるので、予め熱硬化性樹脂材料によって形成された付勢手段３を用いることによっても生産性の低下を招くこともない。
【００４１】
また、取出孔１１２ａが設けられている取出し部１１２は、弾性材料によって形成されているので、取出孔１１２ａから引き出した家庭用薄葉紙Ｐに対して適切な抵抗を掛けることができ、収納空間Ｓに収納された家庭用薄葉紙Ｐが引き出された後に、次の家庭用薄葉紙Ｐを好適に保持することができる。また、家庭用薄葉紙Ｐがロールシートである場合、家庭用薄葉紙Ｐに設けられている切断用のミシン目で好適に切断することができる。
【００４２】
また、容器本体１が、容器本体上部１１と容器本体下部１２とによって構成され、これらが後面において接続されていることで、容器本体１をその中央部で開けて、内部の収納空間Ｓに収納された家庭用薄葉紙Ｐを詰め替えることができる。
したがって、家庭用薄葉紙Ｐの詰め替えの際に、家庭用薄葉紙収納容器１００を持ち上げることを要せず、テーブル等に載置した状態のままで、詰め替え作業を行うことができる。
【００４３】
また、容器本体上部１１と容器本体下部１２とは、後面で接続されており、当該接続部分を支点として、容器本体上部１１を、容器本体下部１２に対して回動させるようにして、収納空間Ｓを開閉することができる。したがって、詰め替え後等において、容器本体上部１１と容器本体下部１２との位置を逐一合わせることなく、容易にこれらを嵌合させて容器本体を閉じた状態とすることができ、内部の家庭用薄葉紙Ｐの詰め替えの手間を低減することができる。
【００４４】
また、容器本体上部１１に弾性材料によって上部嵌合部１１６が形成され、容器本体下部１２に弾性材料によって下部嵌合部１２１が形成され、容器本体１の閉塞時に、これらが嵌合することで、容器本体１の気密性も向上することができる。この効果は、上部嵌合部１１６及び下部嵌合部１２１の双方が弾性材料によって形成されていることで、特に高めることができる。
【００４５】
また、容器本体１の下面に弾性材料によって下部滑り止め部１２２が形成されていることで、容器本体１をテーブルの上等に載置した際の安定性を向上させることができる。
【００４６】
なお、本発明は上記実施形態に限られるものではない。
例えば、図６（ａ）に示すように、熱硬化性樹脂材料によって形成された付勢手段３の下端部を包み込むように固定部１１５となる弾性材料を射出し、成形された固定部１１５によって付勢手段３を保持する態様にしてもよい。
【００４７】
また、図６（ｂ）に示すように、付勢手段３の下端部を覆って保持している固定部１１５の一部である線条部１１５ａが、付勢手段３の周面に沿わされて配された態様にしてもよい。固定部１１５の一部を構成する線条部１１５ａは、固定部１１５とともに弾性材料を射出成形して形成することができる。
ここでは、付勢手段３の周面に螺旋状に沿わしたコイルバネ状の線条部１１５ａを例示している。
このように、付勢手段３の周面に固定部１１５の一部を沿わすようにすることで、付勢手段３の反発力を調整することが可能になる。
【００４８】
なお、以上の実施の形態においては、固定部１１５を、取出し部１１２及び本体側密閉環部１１３と一体的に弾性材料によって形成した場合を例に説明したが、本発明はこれに限定されるものではなく、例えば、図７に示すように、固定部１１５を開閉蓋２などと一体的にポリエチレン、ポリプロピレン等のポリオレフィン系樹脂材料によって形成するようにしてもよい。
【００４９】
また、以上の実施の形態においては、付勢手段３を家庭用薄葉紙収納容器１００に固定する固定部１１５が容器本体１に設けられている場合を例に説明したが、本発明はこれに限定されるものではなく、例えば、図８に示すように、付勢手段３を家庭用薄葉紙収納容器１００に固定する固定部１１５は開閉蓋２に設けられていてもよい。
つまり、射出成形によって形成された開閉蓋２の一部に固定部１１５が形成された状態で、その固定部１１５に固定された付勢手段３は、開閉蓋２（固定部１１５）から取り外せない状態に固定されている。
このように、開閉蓋２側に付勢手段３を固定するように、容器本体１と開閉蓋２と付勢手段３とを疑似３色成形にて形成するようにして家庭用薄葉紙収納容器１００を生産することができる。開閉蓋２とともに射出成形した固定部１１５に付勢手段３が固定されるようにすれば、生産性よく家庭用薄葉紙収納容器１００を製造できる。
【００５０】
また、以上の実施の形態においては、射出成形（２色成形）によって容器本体１と開閉蓋２を一体的に形成したが、本発明はこれに限定されるものではなく、生産性は低下するものの、容器本体１と開閉蓋２とを別体として形成の上、これらをヒンジ等によって回動自在に接続することも可能である。
【００５１】
また、以上の実施の形態においては、容器本体１と射出成形（２色成形）によって一体的に形成した開閉蓋２は、ポリエチレン、ポリプロピレン等のポリオレフィン系樹脂材料によって形成されているとしたが、本発明はこれに限定されるものではなく、容器本体１と射出成形（２色成形）によって一体的に形成した開閉蓋２の一部或いは全体が弾性材料によって形成されていてもよい。
【００５２】
また、本発明の適用は上述した実施形態に限定されることなく、本発明の趣旨を逸脱しない範囲で適宜変更可能である。
【符号の説明】
【００５３】
１      容器本体
１１１  凹部
１１２  取出し部
１１２ａ  取出孔
１１３  本体側密閉環部
１１４  係止手段
１１５  固定部
１１５ａ  線条部
２      開閉蓋
３      付勢手段
３ａ    小孔
３ｂ    切欠
１００  家庭用薄葉紙収納容器
Ｐ      家庭用薄葉紙
【図１】
2020083433.tif 000003
【図２】
2020083433.tif 000004
【図３】
2020083433.tif 000005
【図４】
2020083433.tif 000006
【図５】
2020083433.tif 000007
【図６】
2020083433.tif 000008
【図７】
2020083433.tif 000009
【図８】
2020083433.tif 000010